(57)【要約】【課題】防音性能を変更する場合でも標準仕様の外装パネルを廃棄する必要がなく資源を無駄にしなくて済み、低騒音を目的とした防音パネルを追加で容易に付設することのできる冷凍装置の防音構造が求められている。【解決手段】この冷凍装置の防音構造では、圧縮機５等の騒音源を収容した箱体６を構成する外装パネル１の外面に防音パネル２を付設するための、パネル取付手段９を備えているものである。パネル取付手段９は、外装パネル１の前面および側面の隅部にそれぞれ形成された係合穴７，７，７，７と、防音パネル２の内面にそれぞれ突設されて係合穴７，７，７，７に着脱可能に係止されるピン８，８，８，８とから構成されている。【選択図】　　　図１
2004108610.tif 000002
【特許請求の範囲】
【請求項１】
圧縮機等の騒音源を収容した箱体を構成する外装パネルの内面または外面に防音パネルを付設するための、パネル取付手段を備えていることを特徴とする冷凍装置の防音構造。
【請求項２】
パネル取付手段が、外装パネルに固設された取付金具である請求項第１項に記載の冷凍装置の防音構造。
【請求項３】
複数のパネル取付手段が、外装パネルに所定ピッチで離間配置されている請求項第１項または第２項に記載の冷凍装置の防音構造。
【請求項４】
パネル取付手段が、板厚または形状の異なる複数の防音パネルから選択された防音パネルを外装パネルに取付け可能に構成されている請求項第１項から第３項のいずれか一項に記載の冷凍装置の防音構造。
【請求項５】
防音パネルに、防音性能の異なる複数の防音材から選択された防音材が取付けられている請求項第１項から第４項のいずれか一項に記載の冷凍装置の防音構造。
【発明の詳細な説明】
【０００１】
【発明の属する技術分野】
この発明は、騒音源を有する冷凍装置における防音構造に関するものである。
【０００２】
【従来の技術】
例えば、特開２００１−２４１６９８号に示される冷凍装置の低騒音を目的とした外装パネルの技術では、外装パネルの裏面に防音材を取り付ける手段を接着剤からリベット取付けに変更することにより、外装パネルと防音材の分別を容易にするようになっていた。このように、低騒音を目的としたパネルは標準設定となっていることが多く、図１０に示すように外装パネル１の内面に防音材４を貼り付けた構造となっている。
【０００３】
【発明が解決しようとする課題】
ところで、冷凍装置の据付現場によっては、住宅地から離れているなどユニットの騒音がそれほど問題とならないことがある。そのため、従来のように外装パネルに防音材を貼り付けた標準設定の低騒音パネルを初めから取付けて出荷することはコストアップとなる場合がある。逆に、ユニット据付現場が住宅地に密接しているなど騒音が問題となる場合においては、標準設定の低騒音パネルでも充分に騒音対策ができない場合がある。
【０００４】
一方、冷凍装置の主な騒音源は圧縮機であり、その圧縮機を搭載したユニットは主に屋外に設置されるという特徴がある。また、ユニットは終夜運転されるといった特徴もあるため騒音対策を充分に行う必要があり、ユニット据付現場の周辺環境を考慮し、騒音状況に応じた対策が必要となる。
【０００５】
特にインバータを用いた冷凍装置においては、図１１のグラフ中に示すように、圧縮機を運転する周波数によって音のスペクトル分布特性が変化するため、ユニット据付現場での運転中心周波数と騒音状況とに応じた低騒音パネルの設定が必要である。
【０００６】
また、大規模小売店舗の出店に関し騒音などの影響を考慮し周辺の生活環境を適正に保持するための配慮や措置を求める法律として、大店立地法が２０００年６月より施行され、冷凍装置に要求される低騒音性もますます強いものとなっている。
【０００７】
そのため、住宅地に密接しているなど特に騒音が問題となる現場においては、外装パネルを騒音防止特性の強いオプション設定の低騒音パネルに取り換えたり、または、主要な騒音源である圧縮機周りの標準設定パネルに防音材を貼り付けるなどの対策が行われてきた。しかしながら、前者は標準設定の外装パネルを廃棄して新しい低騒音パネルを取付けなければならないため、資源の無駄遣いやコストアップにつながるという不具合がある。また、オプションパネルの種類の設定も実際上多くできないため、必ずしも現地の騒音状況に応じた仕様になっているとは言えなかった。後者は防音材を貼り付けるという応急処置的な対策であり、充分に騒音問題を解決しているとは言いがたい。
【０００８】
【課題を解決するための手段】
上記した従来技術の問題点を解決するために、第１の発明に係る冷凍装置の防音構造は、圧縮機等の騒音源を収容した箱体を構成する外装パネルの内面または外面に防音パネルを付設するための、パネル取付手段を備えているものである。
【０００９】
また、第２の発明に係る冷凍装置の防音構造においては、パネル取付手段が、外装パネルに固設された取付金具である。
【００１０】
そして、第３の発明に係る冷凍装置の防音構造は、複数のパネル取付手段が、外装パネルに所定ピッチで離間配置されているものである。
【００１１】
更に、第４の発明に係る冷凍装置の防音構造は、パネル取付手段が、板厚または形状の異なる複数の防音パネルから選択された防音パネルを外装パネルに取付け可能に構成されているものである。
【００１２】
また、第５の発明に係る冷凍装置の防音構造は、防音パネルに、防音性能の異なる複数の防音材から選択された防音材が取付けられているものである。
【００１３】
【発明の実施の形態】
発明の実施の形態１．
図１はこの発明の実施の形態１に係る冷凍装置の室外ユニットＡを示す外観図である。図において、冷凍装置の室外ユニットＡは、圧縮機５等の騒音源を収容した箱体６を備えている。圧縮機５周囲の箱体６は外装パネル１（図中の斜線部）で構成されている。外装パネル１の前面および側面の隅部には、係合穴７，７，７，７がそれぞれ形成されている。一方、係合穴７，７，７，７と対向する防音パネル２の内面位置には、係合穴７，７，７，７に着脱可能に係止されるピン８，８，８，８がそれぞれ突設されている。すなわち、外装パネル１の係合穴７，７，７，７と、防音パネル２のピン８，８，８，８とから、外装パネル１の外面に防音パネル２を付設するためのパネル取付手段９が構成される。
【００１４】
上記のように構成された防音構造によれば、低騒音を目的とした防音パネル２を追加で外装パネル１に付設することができる。これにより、防音性能を変更する場合でも標準仕様の外装パネル１を箱体６から取り外して廃棄する必要がなく、資源を無駄にしなくて済む。また、防音パネル２が取付けられるのは外装パネル１の外面であるから、外装パネル１を取り外すことなく容易に取付けることができる。
【００１５】
発明の実施の形態２．
図２はこの発明の実施の形態２に係る冷凍装置の外装パネルおよび防音パネルを示す斜視図である。
図において、外装パネル１は、一端側の辺と他端側の辺がそれぞれ内側に１８０度折り返されて折り返し部１１，１３となっている。防音パネル２は、一端側の辺と他端側の辺がそれぞれ内側に９０度折り曲げられて折り曲げ部１０，１２となっている。この実施形態では、外装パネル１の内面に防音パネル２を添着した場合、折り返し部１３の溝部２０内に折り曲げ部１２が挿通されて係止され、折り返し部１１の先端で折り曲げ部１０が係止されるようになっている。
すなわち、外装パネル１の折り返し部１１と、防音パネル２の折り曲げ部１０とから、外装パネル１の内面に防音パネル２を付設するためのパネル取付手段９Ａが構成される。また、外装パネル１の折り返し部１３と、防音パネル２の折り曲げ部１２とから、外装パネル１の内面に防音パネル２を付設するためのパネル取付手段９Ｂが構成される。
【００１６】
この実施形態の防音構造も、低騒音を目的とした防音パネル２を追加で外装パネル１に付設できるから、防音性能を変更する場合でも標準仕様の外装パネル１を廃棄する必要がなく、資源を無駄にしなくて済む。また、防音パネル２が取付けられるのは外装パネル１の内面であるから、追加するパネルの色合いなど外見を変更することなく防音パネル２を取付けることができる。
【００１７】
発明の実施の形態３．
図３はこの発明の実施の形態３に係る冷凍装置の外装パネルおよび防音パネルを示す斜視図である。
図において、外装パネル１内面における折り返し部１１の近傍と折り返し部１３の近傍には、側面Ｌ字形の取付金具３，３，３，３が配備されている。これらの取付金具３はメネジ穴１５と穴１４を有しており、外装パネル１を外側から貫通したネジ１６がメネジ穴１５に螺合して外装パネル１に固定されている。この実施形態では、外装パネル１の内面に防音パネル２が添着されたのち、取付金具３の穴１４を通されたネジ１６が、穴１４の対面位置にある防音パネル２（折り曲げ部１０，１２）のメネジ穴（図示省略）に螺合する。これにより、防音パネル２が外装パネル１に固定されるようになっている。
【００１８】
この実施形態の防音構造によれば、外装パネル１にネジ止めされた取付金具３を有していることにより、防音パネル２を外装パネル１にネジ止めなどで容易に付設することが可能となる。すなわち、外装パネル１の内面にネジ止めされた取付金具３およびネジ１６が、本発明にいうパネル取付手段の一例である。
【００１９】
発明の実施の形態４．
図４はこの発明の実施の形態４に係る冷凍装置の外装パネルおよび防音パネルを示す斜視図である。
図において、この実施形態の防音構造が、実施形態３の構造と異なるところは、取付金具３にメネジ穴１５が無く、外装パネル１の内面に取付金具３が溶接部１７の部分で溶接されていることである。
【００２０】
この実施形態の防音構造によれば、外装パネル１に溶接付けされた取付金具３を有することにより、ネジ止めなどで容易に防音パネル２を外装パネル１に付設することができる。したがって、実施の形態３のように取付金具３を外装パネル１に止めるネジ１６が外側の衣装面から見えることがなく美観を損なわない。すなわち、外装パネル１の内面に溶接付けされた取付金具３およびネジ１６が、本発明にいうパネル取付手段の一例である。
【００２１】
発明の実施の形態５．
図５はこの発明の実施の形態５に係る冷凍装置の外装パネルおよび防音パネルを示す斜視図である。
図において、この実施形態の外装パネル１が、実施形態２，３に示した外装パネル１の構造と異なるところは、折り返し部１１の先端に、防音パネル２の折り曲げ部１０と平行の延出部１８が設けられたことである。延出部１８には穴１９，１９が形成されている。そして、延出部１８の穴１９，１９を通されたネジ１６，１６が穴１９，１９の対面位置にある防音パネル２（折り曲げ部１０）のメネジ穴（図示省略）に螺合することにより、防音パネル２が外装パネル１に固定される。
【００２２】
この実施形態の防音構造では、折り返し部１１に延出部１８を設けたことにより、防音パネル２が直接外装パネル１にネジ１６で付設される。したがって、実施の形態３，４のように取付金具３を用いる必要がなく部品点数が少なくて済み、防音パネル２を容易に取付けることができる。すなわち、外装パネル１の延出部１８およびネジ１６が、本発明にいうパネル取付手段の一例となる。
【００２３】
発明の実施の形態６．
図６はこの発明の実施の形態６に係る冷凍装置の外装パネルおよび防音パネルを示す斜視図である。
図において、外装パネル１の内面には、例えば二つ（複数）の取付金具（パネル取付手段）３，３が、所定ピッチＰで離間配置され、溶接部１７，１７の位置で外装パネル１に溶接付けされている。取付金具３にはネジ挿通用の穴１４が設けられている。一方、板厚、形状などの異なる複数の防音パネル２，２，２，…が予め用意されている。これらの防音パネル２の折り曲げ部１０と折り曲げ部１２には、それぞれ、二つのメネジ穴（図示省略）が前記外装パネル１の取付金具３と同じピッチＰで形成されている。
【００２４】
このように、外装パネル１側の取付金具３，３の配置ピッチと、防音パネル２側のメネジ穴（図示省略）の配置ピッチとを、前記の所定ピッチＰに統一しておくことにより、厚さや形状などの異なる種々の防音パネル２，２，２，…のうちから、現地の騒音状況に応じた防音パネル２を選択して外装パネル１に取付けることが可能となる。
尚、冷凍装置の主要な騒音源である圧縮機５は、図７に示す箱体６内の位置に配置されている。そこで、この圧縮機５周辺の外装パネル１に取付金具３，３を所定ピッチＰで配置しておけば、選択した防音パネル２を外装パネル１に取付けることができ、騒音を充分に防止することができる。
【００２５】
発明の実施の形態７．
図８はこの発明の実施の形態７に係る冷凍装置の外装パネル、防音パネル、および防音材を示す斜視図である。
図において、取付金具３を介して外装パネル１に取付けられた防音パネル２の内面には、防音性能（厚さ、大きさ、形状などに起因する）の異なる複数の防音材から選択された防音材４が接着剤などで貼り付けられる。
【００２６】
この実施形態では、外装パネル１に取付ける防音パネル２の板厚、形状の変更に加え、現地の状況に応じて選択された防音材４が防音パネル２に取付けられる。これにより、実施の形態６よりもさらに強い防音特性の設定が可能となる。ここで、図９にパネル１枚の場合と、パネルを二重にした場合の騒音特性のグラフを示す。図９のグラフより、ある周波数域の騒音は１枚の防音パネル（グラフ中の破線）だけでは押えることはできなかったが、パネルを二重（グラフ中の実線）にすると騒音が小さくなるという結果が得られている。このように、防音パネル２や防音材４の組合せを変更することにより、現地の騒音状況に適した防音効果が可能となる。
【００２７】
尚、本発明にいうパネル取付手段としては、これまでに例示したものに限らない。例えば、パネル取付手段として両面粘着テープ（図示省略）を用い、この両面粘着テープを介して防音パネル２を外装パネル１の外面または内面に取付けるようにしても構わない。
【００２８】
【発明の効果】
以上詳述したように、第１の発明に係わる冷凍装置の防音構造は、所定のパネル取付手段を備えているので、外装パネルに追加で防音パネルを付設することができる。これにより、防音性能を変更する場合でも標準仕様の外装パネルを廃棄する必要がなく、資源を無駄にしなくて済む。
【００２９】
また、第２の発明に係わる冷凍装置の防音構造によれば、外装パネルに取付金具を有することにより、ネジ止めなどで容易に防音パネルを外装パネルに付設することが可能となる。
【００３０】
そして、第３の発明に係わる冷凍装置の防音構造によれば、複数のパネル取付手段を外装パネルに所定ピッチで離間配置したことにより、厚さや形状などの異なる種々の防音パネルを必要に応じ選択して外装パネルに取付けることが可能となる。
【００３１】
更に、第４の発明に係わる冷凍装置の防音構造によれば、板厚または形状の異なる防音パネルに変更して取付けることにより、装置据付現場の周囲環境に応じた種々の防音対策を講じることができる。
【００３２】
また、第５の発明に係わる冷凍装置の防音構造によれば、防音パネルに取付けられる防音材を防音性能の異なるものに変更することにより、第４の発明よりもいっそう多様に、装置据付現場の周囲環境に応じた防音対策を講じることができる。
【図面の簡単な説明】
【図１】この発明の実施の形態１に係る冷凍装置の室外ユニットを示す外観図である。
【図２】この発明の実施の形態２に係る冷凍装置の外装パネルおよび防音パネルを示す斜視図である。
【図３】この発明の実施の形態３に係る冷凍装置の外装パネルおよび防音パネルを示す斜視図である。
【図４】この発明の実施の形態４に係る冷凍装置の外装パネルおよび防音パネルを示す斜視図である。
【図５】この発明の実施の形態５に係る冷凍装置の外装パネルおよび防音パネルを示す斜視図である。
【図６】この発明の実施の形態６に係る冷凍装置の外装パネルおよび防音パネルを示す斜視図である。
【図７】室外ユニット内における圧縮機の位置を示す説明図である。
【図８】この発明の実施の形態７に係る冷凍装置の外装パネル、防音パネル、および防音材を示す斜視図である。
【図９】防音パネルの違いによる騒音変化を示すグラフである。
【図１０】従来の低騒音を目的とした外装パネルおよび防音材を示す斜視図である。
【図１１】インバータ周波数の違いによる騒音変化を示すグラフである。
【符号の説明】
１　外装パネル、２　防音パネル、３　取付金具、４　防音材、５　圧縮機、６　箱体、７　係合穴、８　ピン、９　パネル取付手段、９Ａ　パネル取付手段、９Ｂ　パネル取付手段、１０　折り曲げ部、１１　折り返し部、１２　折り曲げ部、１３　折り返し部、１４　穴、１５　メネジ穴、１６　ネジ、１７　溶接部、１８　延出部、１９　穴、２０　溝部、Ａ　冷凍装置の室外ユニット、Ｐ　所定ピッチ。
【図１】
2004108610.tif 000003
【図２】
2004108610.tif 000004
【図３】
2004108610.tif 000005
【図４】
2004108610.tif 000006
【図５】
2004108610.tif 000007
【図６】
2004108610.tif 000008
【図７】
2004108610.tif 000009
【図８】
2004108610.tif 000010
【図９】
2004108610.tif 000011
【図１０】
2004108610.tif 000012
【図１１】
2004108610.tif 000013